(57)【要約】      （修正有）【課題】衝撃吸収性を高めた車輪を有する電気掃除機を提供すること。【解決手段】床Ｆ上で移動させるための前輪及び後輪７を掃除機本体２に設けた電気掃除機において、前記後輪７を、環状の車輪本体８と、この車輪本体８を被取付部としての外殻体４の側面後部Ｓに取り付けるための抜け止め部９とで構成すると共に、前記抜け止め部９に、前記車輪本体８の内周面１０に小面積で接触する接触部１５，１６を設けたことにより、床Ｆ等と接する前記車輪本体８が衝撃を受けた際に、環状の前記車輪本体８が撓むことで、この車輪本体８自体が衝撃を減衰させることができるので、この車輪本体８が取り付けられた前記掃除機本体２を破損させないようにすることができる。【選択図】図２
0003142105.tif 000002
【実用新案登録請求の範囲】
【請求項１】
床上を移動させるための車輪を有する電気掃除機において、
前記車輪が、環状の車輪本体と、この車輪本体を被取付部に取り付けるための抜け止め部とを有して構成されると共に、前記抜け止め部が、前記車輪本体の内周面に小面積で接触する接触部を有することを特徴とする電気掃除機。
【請求項２】
前記接触部が、前記車輪本体の内周面の下部を除いた部分に接触することを特徴とする請求項１記載の電気掃除機。
【請求項３】
前記接触部が複数のローラから構成されることを特徴とする請求項２記載の電気掃除機。
【考案の詳細な説明】
【技術分野】
【０００１】
本考案は電気掃除機に関するものであり、特に、床等に接して回転する車輪を有する電気掃除機に関するものである。
【背景技術】
【０００２】
従来、この種の電気掃除機としては、掃除機本体の前部底面に前輪が設けられると共に、前記掃除機本体の後部両側面に一対の後輪が設けられたものが知られている（例えば、特許文献１参照。）。そして、一般的には、前記後輪は円盤状に形成されており、この円盤状の後輪の中央部が、前記掃除機本体に回転可能に軸支される。また、吸込ノズルの後部面に、同様の車輪が一対設けられたものも知られている（例えば、特許文献２参照。）
【特許文献１】特開２００７−２９６２０２号公報
【特許文献２】特開２００７−２４４７６７号公報
【考案の開示】
【考案が解決しようとする課題】
【０００３】
しかしながら、このような従来の電気掃除機においては、前記車輪が円盤状に形成されているため、この車輪が衝撃を受けた際に、この衝撃が車軸に伝わることで、この車軸が破損してしまう虞があった。このため、前記車輪の外周部に、衝撃吸収性を有する材質からなる環状体を被せて固定したものも知られているが、複数の異なった材質を用いるばかりでなくこれらを固定させることから、コストアップに繋がってしまうという問題があった。
【０００４】
本考案は以上の問題点を解決し、衝撃吸収性を高めた車輪を有する電気掃除機を提供することを目的とする。
【課題を解決するための手段】
【０００５】
本考案の請求項１に記載の電気掃除機は、床上を移動させるための車輪を有する電気掃除機において、前記車輪が、環状の車輪本体と、この車輪本体を被取付部に取り付けるための抜け止め部とを有して構成されると共に、前記抜け止め部が、前記車輪本体の内周面に小面積で接触する接触部を有するものである。
【０００６】
また、本考案の請求項２に記載の電気掃除機は、請求項１において、前記接触部が、前記車輪本体の内周面の下部を除いた部分に接触するものである。
【０００７】
更に、本考案の請求項３に記載の電気掃除機は、請求項２において、前記接触部が複数のローラから構成されるものである。
【考案の効果】
【０００８】
本考案の請求項１に記載の電気掃除機は、以上のように構成することにより、床等と接する前記車輪本体が衝撃を受けた際に、環状の前記車輪本体が撓むことで、前記車輪本体自体が衝撃を減衰させることができる。
【０００９】
また、前記接触部が、前記車輪本体の内周面の下部を除いた部分に接触することにより、床等と接する前記車輪本体の下部が衝撃を受けた際に、環状の前記車輪本体の下部が上方に撓むことができるので、前記車輪本体自体により衝撃を確実に減衰させることができる。
【００１０】
更に、前記接触部を複数のローラから構成することにより、前記車輪本体の回転抵抗を小さくすることができる。
【考案を実施するための最良の形態】
【００１１】
以下、本考案の第一の実施形態について、図１乃至図５に基づいて説明する。なお、本実施形態では、図１の姿勢を基準として上下及び前後左右を規定する。また、図１において、左側が前、右側が後である。１は本考案の電気掃除機である。この電気掃除機１は、掃除機本体２と清掃具３とを有して構成されている。
【００１２】
前記掃除機本体２は、外殻体４と、この外殻体４の底面前部に回動部５を介して取り付けられた前輪６と、前記外殻体４の両側面後部Ｓに設けられた一対の後輪７とを有して構成されている。また、前記掃除機本体２の外殻体４の前面には、図示しない接続受部が設けられている。
【００１３】
前記後輪７について詳述する。この後輪７は、車輪本体８と、この車輪本体８を被取付部となる外殻体４の側面後部Ｓに取り付けるための抜け止め部９とを有して構成されている。そして、前記車輪本体８は、弾性変形可能な合成樹脂等の材質によって、円環状に形成されている。また、前記車輪本体８の内周面１０と外側面１１との間には、前記車輪本体８と同心状に切欠部１２が形成されている。また、前記抜け止め部９は、幅広部１３とＸ字状のリブ１４とを有して一体に形成されている。そして、前記幅広部１３の前端から後端までの長さＬａは、前記車輪本体８の内径Ｄよりも大きく形成されている。更に、前記幅広部１３の前端部及び後端部は、前記外殻体４の側面後部Ｓに前記車輪本体８及び抜け止め部９を取り付けた際に、前記車輪本体８の外側方から、前記切欠部１２と対向している。これにより、前記車輪本体８は、前記外殻体４の側面後部Ｓに取り付けられると共に、前記抜け止め部９の幅広部１３によって抜け止めされる。なお、前記幅広部１３の前端部及び後端部が前記切欠部１２のみと対向するように構成することで、前記抜け止め部９は、前記車輪本体８の外側面１１よりも外側方へ突出しない。そして、前記リブ１４は、前記抜け止め部９を前記外殻体４の側面後部Ｓに取り付けた際に、この側面後部Ｓに対して直交するように構成されている。更に、前記リブ１４の前端及び後端は、それぞれ前記車輪本体８の内周面１０に対して線接触するように構成されている。なお、前記リブ１４の下部前端の接触部１５から下部後端の接触部１６までの長さＬｂは、前記車輪本体８の内径Ｄよりも小さく形成されている。そして、前記下部前端の接触部１５は、前記車輪本体８の中心Ｏを基準として、前記車輪本体８の内周面１０の最下端点Ｐｂから前方に角度θ（本例では約６０度）ずれた位置Ｐｘにおいて、前記車輪本体８の内周面１０に接する。同様に、前記下部後端の接触部１６は、前記車輪本体８の中心Ｏを基準として、前記車輪本体８の内周面１０の最下端点Ｐｂから後方に角度θずれた位置Ｐｙにおいて、前記車輪本体８の内周面１０に接する。
【００１４】
なお、θの値が０度に近い場合、前記車輪本体８が衝撃を受けた際に、この車輪本体８が殆ど撓むことがないので、衝撃が殆ど減衰することなく前記抜け止め部９に伝わってしまう虞がある。従って、前記車輪本体８の上方への撓みを妨げないようにするために、前記位置Ｐｘ及びＰｙは、それぞれ前記内周面１０の下部１／４周（前記内周面１０の下端Ｐｂから前後にそれぞれ４５度）を除く範囲、即ち、前記内周面１０の下半周のうち、前部１／４周（前記内周面１０の前端Ｐｆから下方に４５度）の範囲、及び後部１／４周（前記内周面１０の後端Ｐｒから下方に４５度）の範囲であることが望ましい。逆に、θの値が９０度に近い場合、即ち前記下部前端の接触部１５から下部後端の接触部１６までの長さＬｂが前記車輪本体８の内径Ｄとほぼ等しい場合、内径Ｄと長さＬｂの僅かな寸法誤差がθの値に大きな影響を与えてしまうことになるので、前記掃除機本体２が床Ｆに対して右又は左に大きく傾いてしまう虞がある。従って、内径Ｄや長さＬｂに僅かな寸法誤差があったとしてもθの値に大きな影響を与えないようにするために、前記位置Ｐｘ及びＰｙは、それぞれ前記内周面１０の下半周のうち、前部１／１２周（前記内周面１０の前端Ｐｆから下方に１５度）を除く範囲、及び後部１／１２周（前記内周面１０の後端Ｐｒから下方に１５度）を除く範囲であることが望ましい。
【００１５】
前記清掃具３は、ホース部１７と、このホース部１７の基端側に設けられた接続部１８と、前記ホース部１７の先端側に設けられた図示しない吸込ノズルとを有して構成されている。そして、前記接続部１８が前記掃除機本体２の外殻体４の前面に設けられた図示しない接続受部に接続されることで、前記清掃具３は、前記掃除機本体２に接続される。
【００１６】
次に、本実施形態の作用について説明する。まず、使用者は、前記前輪６及び後輪７が前記床Ｆと接するように、前記掃除機本体２を前記床Ｆ上に置く。この際、前記外殻体４は、前記床Ｆに接した前記車輪本体８に対して下方に極僅かに移動する。そして、前記外殻体４に取り付けられた前記抜け止め部９のリブ１４の接触部１５及び１６は、前記位置Ｐｘ及びＰｙにおいて前記車輪本体８の内周面１０に対して線接触する。（厳密には、前記接触部１５及び１６は、前記車輪本体８の内周面１０に対して極微小な面積で面接触するが、実質的に線接触と見なすことができる。）
【００１７】
この状態で、使用者が前記清掃具３を把持して移動すると、この清掃具３に接続された前記掃除機本体２も前記床Ｆ上を移動する。この際、前記後輪７を構成する車輪本体８は、前記床Ｆ上を転がることになる。なお、前述したように、前記車輪本体８は、その内周面１０が前記抜け止め部９の接触部１５及び１６と接触ししているものの、それらの接触面積が極めて小さいため、小さい抵抗で転がることになる。
【００１８】
そして、前記掃除機本体２が前記床Ｆ上を移動する際に、前記車輪本体８が段差等を通過すると、前記車輪本体８は衝撃を受ける。しかしながら、前記車輪本体８は、衝撃によって弾性変形することで、この衝撃を吸収する。このため、前記車輪本体８が受けた衝撃は、前記車輪本体８自体によって減衰させられるので、前記掃除機本体２の外殻体４及び抜け止め部９に殆ど伝わらない。従って、前記掃除機本体２は、前記車輪本体８が受けた衝撃によって破損することがない。
【００１９】
以上のように本考案の電気掃除機１は、床Ｆ上で移動させるための前輪６及び後輪７を掃除機本体２に設けた電気掃除機１において、前記後輪７を、環状の車輪本体８と、この車輪本体８を被取付部としての外殻体４の側面後部Ｓに取り付けるための抜け止め部９とで構成すると共に、前記抜け止め部９に、前記車輪本体８の内周面１０に小面積で接触する接触部１５，１６を設けたことにより、床Ｆ等と接する前記車輪本体８が衝撃を受けた際に、環状の前記車輪本体８が撓むことで、この車輪本体８自体が衝撃を減衰させることができるので、この車輪本体８が取り付けられた前記掃除機本体２を破損させないようにすることができるものである。
【００２０】
また、前記接触部１５，１６が、それぞれ前記車輪本体８の内周面１０の下部１／４周を除いた部分、即ち前部の接触位置Ｐｘ及び後部の接触位置Ｐｙに接触することにより、床Ｆ等と接する前記車輪本体８の下部が衝撃を受けた際に、環状の前記車輪本体８の下部が上方に撓むことができるので、前記車輪本体８自体により衝撃を確実に減衰させることができるものである。
【００２１】
次に、本考案の第二の実施形態について、図６及び図７に基づいて説明する。なお、本実施形態では、図６の姿勢を基準として上下及び前後左右を規定する。また、図６において、左側が前、右側が後である。２１は本考案の電気掃除機である。この電気掃除機２１は、掃除機本体２２と清掃具３とを有して構成されている。
【００２２】
前記掃除機本体２２は、外殻体２４と、この外殻体２４の前部底面に回動部５を介して取り付けられた前輪６と、前記外殻体４の両側面後部Ｓ´に設けられた一対の後輪２７とを有して構成されている。また、前記掃除機本体２２の外殻体２４の前面には、図示しない接続受部が設けられている。
【００２３】
前記後輪２７について詳述する。この後輪２７は、車輪本体２８と、この車輪本体２８を被取付部となる外殻体２４の側面後部Ｓ´に取り付けるための抜け止め部２９とを有して構成されている。そして、前記車輪本体２８は、弾性変形可能な合成樹脂等の材質によって、円環状に形成されている。また、前記車輪本体８の内周面３０と外側面３１との間には、前記車輪本体２８と同心状に切欠部３２が形成されている。また、前記抜け止め部２９は、等角度間隔で設けられた複数のローラ３３から構成されている。本例では、前記ローラ３３は、１２０度間隔で３つ（前下ローラ３３Ａ，後下ローラ３３Ｂ，上ローラ３３Ｃ）設けられている。なお、これらのローラ３３は、各々径小部３４と径大部３５とを有して一体に形成されている。そして、前記径小部３４は、前記車輪本体８の内周面３０に当接すると共に、前記径大部３５は、前記車輪本体２８の外側方から、前記切欠部３２と対向している。これにより、前記車輪本体２８は、前記外殻体２４の側面後部Ｓ´に取り付けられると共に、前記ローラ３３の径大部３５によって抜け止めされる。なお、前記径大部３５が前記切欠部３２のみと対向するように構成することで、前記ローラ３３は、前記車輪本体２８の外側面３１よりも外側方へ突出しない。更に、前記ローラ３３の径小部３４は、それぞれ前記車輪本体２８の内周面３０に対して線接触するように構成されている。そして、前記前下ローラ３３Ａの径小部３４は、前記車輪本体２８の中心Ｏ´を基準として、前記車輪本体２８の内周面３０の最下端点Ｐｂ´から前方に角度δ（本例では約６０度）ずれた位置Ｐｘ´において、前記車輪本体２８の内周面３０に接する。同様に、前記後下ローラ３３Ｂの径小部３４は、前記車輪本体２８の中心Ｏ´を基準として、前記車輪本体２８の内周面３０の最下端点Ｐｂ´から後方に角度δずれた位置Ｐｙ´において、前記車輪本体２８の内周面３０に接する。
【００２４】
なお、δの値が０度に近い場合、前記車輪本体２８が衝撃を受けた際に、この車輪本体２８が殆ど撓むことがないので、衝撃が殆ど減衰することなく前記各ローラ３３に伝わってしまう虞がある。従って、前記車輪本体２８の上方への撓みを妨げないようにするために、前記位置Ｐｘ´及びＰｙ´は、それぞれ前記内周面３０の下部１／４周（前記内周面３０の下端Ｐｂ´から前後にそれぞれ４５度）を除く範囲、即ち、前記内周面３０の下半周のうち、前部１／４周（前記内周面３０の前端Ｐｆ´から下方に４５度）の範囲、及び後部１／４周（前記内周面３０の後端Ｐｒ´から下方に４５度）の範囲であることが望ましい。逆に、δの値が９０度に近い場合、前記車輪本体２８及び各ローラ３３の僅かな寸法誤差がδの値に大きな影響を与えてしまうことになるので、前記掃除機本体２２が床Ｆに対して右又は左に大きく傾いてしまう虞がある。従って、前記車輪本体２８及び各ローラ３３の寸法に僅かな誤差があったとしてもδの値に大きな影響を与えないようにするために、前記位置Ｐｘ´及びＰｙ´は、それぞれ前記内周面３０の下半周のうち、前部１／１２周（前記内周面３０の前端Ｐｆ´から下方に１５度）を除く範囲、及び後部１／１２周（前記内周面３０の後端Ｐｒ´から下方に１５度）を除く範囲であることが望ましい。
【００２５】
次に、本実施形態の作用について説明する。まず、使用者は、前記前輪６及び後輪２７が前記床Ｆと接するように、前記掃除機本体２２を前記床Ｆ上に置く。この際、前記外殻体２４は、前記床Ｆに接した前記車輪本体２８に対して下方に極僅かに移動する。そして、前記外殻体２４に取り付けられた前記抜け止め部９を構成する前記ローラ３３のうち、前記前下ローラ３３Ａと後下ローラ３３Ｂの径小部３４は、前記位置Ｐｘ´及びＰｙ´において前記車輪本体２８の内周面３０に対して線接触する。（厳密には、前記前下ローラ３３Ａと後下ローラ３３Ｂの径小部３４は、前記車輪本体２８の内周面３０に対して極微小な面積で面接触するが、実質的に線接触と見なすことができる。）
【００２６】
この状態で、使用者が前記清掃具３を把持して移動すると、この清掃具３に接続された前記掃除機本体２２も前記床Ｆ上を移動する。この際、前記後輪２７を構成する車輪本体２８は、前記床Ｆ上を転がることになる。なお、前述したように、前記車輪本体２８は、その内周面３０が前記前下ローラ３３Ａと後下ローラ３３Ｂの径小部３４と接触ししているものの、それらの接触面積が極めて小さいばかりでなく、前記前下ローラ３３Ａと後下ローラ３３Ｂ自体が回転するため、極小さい抵抗で転がることになる。
【００２７】
そして、前記掃除機本体２２が前記床Ｆ上を移動する際に、前記車輪本体２８が段差等を通過すると、前記車輪本体２８は衝撃を受ける。しかしながら、前記車輪本体２８は、衝撃によって弾性変形することで、この衝撃を吸収する。このため、前記車輪本体２８が受けた衝撃は、前記車輪本体２８自体によって減衰させられるので、前記掃除機本体２２の外殻体２４及び各ローラ３３に殆ど伝わらない。従って、前記掃除機本体２２は、前記車輪本体２８が受けた衝撃によって破損することがない。
【００２８】
以上のように本考案の電気掃除機２１は、床Ｆ上で移動させるための前輪６及び後輪２７を掃除機本体２２に設けた電気掃除機２１において、前記後輪２７を、環状の車輪本体２８と、この車輪本体２８を被取付部としての外殻体２４の側面後部Ｓ´に取り付けるための抜け止め部２９としての複数のローラ３３とで構成すると共に、前記各ローラ３３の径小部３４が前記車輪本体８の内周面１０に小面積で接触することにより、床Ｆ等と接する前記車輪本体２８が衝撃を受けた際に、環状の前記車輪本体２８が撓むことで、この車輪本体２８自体が衝撃を減衰させることができるので、この車輪本体２８が取り付けられた前記掃除機本体２２を破損させないようにすることができるものである。
【００２９】
また、前記前下ローラ３３Ａと後下ローラ３３Ｂの径小部３４が、それぞれ前記車輪本体２８の内周面３０の下部１／４周を除いた部分、即ち前部の接触位置Ｐｘ´及び後部の接触位置Ｐｙ´に接触することにより、床Ｆ等と接する前記車輪本体２８の下部が衝撃を受けた際に、環状の前記車輪本体２８の下部が上方に撓むことができるので、前記車輪本体２８自体により衝撃を確実に減衰させることができるものである。
【００３０】
更に、接触部としての径小部３４を有する複数のローラ３３によって前記抜け止め部２９を構成することにより、前記車輪本体２８の回転抵抗を小さくすることができるものである。
【００３１】
なお、本考案は以上の実施形態に限定されるものではなく、考案の要旨の範囲内で種々の変形実施が可能である。例えば、上記各実施形態では、電気掃除機の掃除機本体に設けられる車輪について述べているが、電気掃除機の吸込ノズルに設けられる車輪に適用しても良い。また、上記第一の実施形態では、接触部が設けられたリブを幅広部と一体に形成したが、接触部が設けられたリブを掃除機本体の外殻体と一体に形成してもよい。
【図面の簡単な説明】
【００３２】
【図１】本考案の第一の実施形態を示す電気掃除機の右側面図である。
【図２】同、後輪周辺を拡大した右側面図である。
【図３】同、後輪周辺のＡ−Ａ断面図である。
【図４】同、車輪本体の外観図である。
【図５】同、車輪本体のＢ−Ｂ断面図である。
【図６】本考案の第二の実施形態を示す電気掃除機の右側面図である。
【図７】同、後輪周辺を拡大した右側面図である。
【符号の説明】
【００３３】
１，２１  電気掃除機
２，２２  掃除機本体
３  清掃具
７，２７  後輪
８，２８  車輪本体
９，２９  抜け止め部
１０，３０  内周面
１５  下部前端の接触部
１６  下部後端の接触部
３３  ローラ
３３Ａ  前下ローラ
３３Ｂ  後下ローラ
Ｓ，Ｓ´  後部側面（被取付部）
【図１】
0003142105.tif 000003
【図２】
0003142105.tif 000004
【図３】
0003142105.tif 000005
【図４】
0003142105.tif 000006
【図５】
0003142105.tif 000007
【図６】
0003142105.tif 000008
【図７】
0003142105.tif 000009